(57)【要約】      （修正有）【課題】一般の塵取り器として支障なく使用することができ、必要に応じて多層階建て集合住宅におけるベランダに形成された側溝の清掃にも便利に使用することができる塵取り器を提供する。【解決手段】底壁１１と、底壁１１の周縁部に連接された後壁１２及び左右側壁１３，１３と、後壁１２に連接された握り柄１４とを備えている塵取り器本体１と、該本体１の一側に偏してかつ本体１に対し摺動自在に形成された底壁を備えた塵取り補助体２とからなり、該補助体２の該塵取り補助体２が、底壁の先端縁部分２５が本体底壁１１の先端縁部分１５と近接する第１姿勢と、該底壁の先端縁部分２５が本体底壁１１の先端縁部分１５よりも前方に突出する第２姿勢とに、姿勢変更可能な構造としたものである。【選択図】図２
0003165086.tif 000002
【実用新案登録請求の範囲】
【請求項１】
底壁(11)と、底壁(11)の周縁部に連接された後壁(12)及び左右側壁(13，13)と、後壁(12)に連接された握り柄(14)とを備えている塵取り器本体(1)と、該本体(1)の一側に偏してかつ本体(1)に対し摺動自在に形成された底壁(21)を備えた塵取り補助体２とからなり、該塵取り補助体２が、底壁(21)の先端縁部分(25)が本体底壁(11)の先端縁部分(15)と近接する第１姿勢Ａと、該底壁(21)の先端縁部分(25)が本体底壁(11)の先端縁部分(15)よりも前方に突出する第２姿勢Ｂとに、姿勢変更可能な構造としてある塵取り器。
【請求項２】
塵取り器本体(1)の左右側壁(13，13)の前端縁(13a，13a)が、底壁(11)と略直交方向に突出形成され、塵取り器本体(1)を立ち姿勢に保持できる構造としてある請求項１に記載の塵取り器。
【考案の詳細な説明】
【技術分野】
【０００１】
本考案は、主として箒で掻き集めた塵埃を受け取るために使用する塵取り器に関するものである。
【背景技術】
【０００２】
本考案の塵取り器は、一般の塵取り器として使用することができるものでありながら、殊に、マンション等の多層階建て集合住宅におけるベランダに形成された側溝の清掃にも便利に使用することができる塵取り器に関するものである。
【０００３】
このような集合住宅におけるベランダに形成された側溝の清掃に使用することができる塵取り器はほとんど市販されているものがなく、存在するとしてもハンドショベル形の小形の側溝専用の塵取り器である。しかしながら、使用頻度が少ないためかほとんど普及していないのが現状である。
【先行技術文献】
【特許文献】
【０００４】
【特許文献１】特開平１０−７５９２５号公報
【特許文献２】実開平０６−３６４２７号公報
【考案の概要】
【考案が解決しようとする課題】
【０００５】
また、通常のタイプの塵取り器は、幅が広くてベランダの側溝の清掃には適していないため、一般には、側溝に溜まった塵を溝内で寄せ集めてからベランダの平らな面まで掃き上げて、掃き上げた塵を集めて塵取り器ですくい受けるという二重手間を掛けていた。しかしながら、それでも、溝の段際にはベランダ面まで掃き上げられずに溜まったままとなることが多く、溝内を清潔に清掃することはでき難いものであった。
【０００６】
そこで、本考案は、前記のような通常タイプの塵取り器であって、一般の塵取り器として支障なく使用することができる塵取り器でありながら、必要に応じて多層階建て集合住宅におけるベランダに形成された側溝の清掃にも便利に使用することができる塵取り器をここに提供しようとするものである。
【課題を解決するための手段】
【０００７】
該目的を達成するために講じた本考案にいう請求項１に記載の塵取り器の構成を、実施例において使用した符号を用いて説明すると、底壁１１と、底壁１１の周縁部に連接された後壁１２及び左右側壁１３，１３と、後壁１２に連接された握り柄１４とを備えている塵取り器本体１と、該本体１の一側に偏してかつ本体１に対し摺動自在に形成された底壁２１を備えた塵取り補助体２とからなり、該塵取り補助体２が、底壁２１の先端縁部分２５が本体底壁１１の先端縁部分１５と近接する第１姿勢Ａと、該底壁２１の先端縁部分２５が本体底壁１１の先端縁部分１５よりも前方に突出する第２姿勢Ｂとに、姿勢変更可能な構造としたものである。
【０００８】
また、このような構成とした本考案にいう塵取り器の実施形態としては、請求項２に記載したように、塵取り器本体１の左右側壁１３，１３の前端縁１３ａ，１３ａが、底壁１１と略直交方向に突出形成され、塵取り器本体１を立ち姿勢に保持できる構造として実施することができるものである。
【０００９】
本考案にいう塵取り器の実施に当たっては、合成樹脂素材の射出成形品とすることが製造上容易である点で好ましい。しかしながら、セルロース素材や木材で製造することも可能であるので、特に素材については限定する意図はない。
【００１０】
また、後の実施例に示すように、塵取り器本体の後壁に連接させた握り柄は、一般に周知のように断面Ｃ字形とし、このＣ字形とした握り柄に対して、Ｃ字形の切れ込み部から清掃用箒の棒状部を押し込んで固定させておくようにしておくと、箒と塵取り器を常に一体として保管できるので、何れかを探す手間を省くことができて好ましい。
【考案の効果】
【００１１】
以上のように、本考案にいうところの塵取り器は、塵取り器本体と塵取り補助体とを備えたものとし、塵取り器本体を通常一般に使用されている塵取り器と同形態の大きさとして、通常清掃時における塵取り器と同様に使用できるものでありながら、この塵取り器本体とは別体として形成した塵取り補助体を、塵取り器本体の一側に偏した箇所において摺動自在に配置し、その底壁の先端縁部分が、塵取り器本体における底壁の先端縁部分と近接する第１姿勢Ａと、塵取り器本体の底壁の先端縁部分よりも前方に突出する第２姿勢Ｂとに姿勢変更できる構造としてあるので、例えば多層階建て集合住宅におけるベランダに形成された側溝の清掃に際して、塵取り補助体だけを塵取り器本体の先端縁部分よりも前方に突出させて同側溝内に入れて、側溝内の塵を塵取り補助体を介して塵取り器本体上に掻き上げて受け取らせることができるので、同側溝のような小幅の溝内に溜まった塵を容易に便利に清掃できるという効果を有する。
【図面の簡単な説明】
【００１２】
【図１】本考案の塵取り器を示す全体斜視図。
【図２】同塵取り器の補助体の突出姿勢を示す斜視図。
【図３】同塵取り器を示す平面図。
【図４】同塵取り器の補助体の突出姿勢を示す平面図。
【図５】同塵取り器に箒を装着した状態の立ち姿勢を示す正面図。
【考案を実施するための形態】
【実施例】
【００１３】
以下本考案の主たる実施例について図面に基づいて説明する。該実施例に示した塵取り器は、図１及び図３に示したように、塵取り器本体１と、これとは別に形成された塵取り補助体２との２部材で形成されている。
【００１４】
塵取り器本体１は、集めた塵を受け止める底壁１１と、この底壁１１の周縁部に立ち上がり壁として連接された後壁１２と、左右の側壁１３，１３と、後壁１２の幅方向中間部分において後方に向かって突出するように連接してある握り柄１４とを一体的に備えている合成樹脂製の成型品である。
【００１５】
また、塵取り補助体２は、塵取り器本体１よりも小形のもので、実施例図に示したように、塵取り器本体１の約２分の１から３分の１程度の横幅を備えたものとしてある。この横幅は、実質的には多層階建て集合住宅におけるベランダの壁際に形成された側溝の幅と同程度の幅、より詳しくは同側溝内に先端部を入れ込むことができる程度の幅に形成してある。
【００１６】
この塵取り補助体２は、実施例図のように、塵取り器本体１の一側に偏して配置され、左寄りのものを否定するものではないが、図面に示したものでは、本体１の底壁１１に向かって右寄りに偏った箇所に、本体１に対して摺動自在に取り付けた構造としてある。
【００１７】
より具体的には、この塵取り補助体２は、図１及び図３に示したように、その底壁２１の先端縁部分２５が、本体底壁１１の先端縁部分１５とほぼ一致する程度に本体１と重なった第１姿勢Ａと、図２及び図４に示したように、該底壁２１の先端縁部分２５が本体底壁１１の先端縁部分１５よりも前方に突出する第２姿勢Ｂとに、姿勢変更させることができるようにしてある。
【００１８】
前記ベランダに形成されている側溝の清掃に際しては、後者のように、塵取り補助体２をその先端縁部分２５を塵取り器本体１の先端縁部分１５よりも前方に突出させた第２姿勢Ｂとして、その先端部を同側溝内に入れて側溝内の塵をこの塵取り補助体２の底壁２１を介して塵取り器本体１の底壁１１上に掃き込むことができるようにしてある。
【００１９】
この塵取り補助体２は、側溝内の塵を塵取り器本体１の底壁１１上へ直接掃き込むことを容易にするため、図２のように、底壁２１の外側縁部分２２に側壁２３を立ち上げ姿勢に形成してある。また、この側壁２３の後端側の上部２５には該補助体２の上下移動操作用スライダー２６を連接してある。このスライダー２６には、その外側下部にラッチ２７を形成してあり、塵取り器本体１の右側側壁１３の外壁面の上下２カ所に形成したラッチ嵌合片１７ａ，１７ｂの何れかに係合させて塵取り補助体２の自然移動を規制するようにしてある。
【００２０】
また、該塵取り補助体２の内側の側縁部２４は、塵取り器本体１における該補助体２との接触箇所に設けた庇形案内体１８の庇下を通過して上下摺動するようにしてある。即ちこの庇形案内体１８は、塵取り器本体１の底壁１１から補助体２側に向かって庇部分が突出するするように形成してあり、補助体２の内側側縁部２４は、この庇下を通るが上面側への浮き上がり移動は制限されるようにしてある。
【００２１】
該塵取り器本体１の左右の側壁１３，１３の前端縁１３ａ，１３ａは、図３に示したように、平面図において底壁１１と略直交方向に垂直に形成されていて、図５に示したように、塵取り器本体１を立ち姿勢に保持できる構造としてある。
【００２２】
なお、該図５は、前記塵取り器本体１の後壁１２の後方に突出連接させた握り柄１４の形状を、一般に周知のように断面Ｃ字形とし、このＣ字形とした握り柄１４に対して、Ｃ字形の切れ込み前部から清掃用箒３の棒状部３１を押し込んで固定させた状態を示してある。このようにしておくことによって、箒３と塵取り器とを常に一体として保管できるようにしてある。
【００２３】
以上本考案の代表的と思われる実施例について説明したが、本考案は必ずしもこの実施例に示した構造のみに限定されるものではなく、本考案にいう前記の構成要件を備えていて、かつ、本考案にいう目的を達成し、上記の効果を有する範囲内において適宜改変して実施することができるものである。
【産業上の利用可能性】
【００２４】
本考案にいうところの塵取り器は、普通一般の塵取り器として使用できるものでありながら、必要に応じて補助体を突出させて、多層階建て集合住宅のベランダ壁際の側溝内に先端部を入れ込んで側溝の清掃をも容易にできるようにしてあって、このような塵取り器は現在の市場には存在しないので、市場に供給すると大いに歓迎され重宝に使用されるものと考えられる。
【符号の説明】
【００２５】
１  塵取り器本体
１１  底壁
１２  後壁
１３  側壁
１４  握り柄
１５  先端縁部分
２  塵取り補助体
２１  補助体の底壁
２５  補助体の先端縁部分
【図１】
0003165086.tif 000003
【図２】
0003165086.tif 000004
【図３】
0003165086.tif 000005
【図４】
0003165086.tif 000006
【図５】
0003165086.tif 000007